(57)【要約】【課題】  屋根の外観を損なわずに太陽熱を蓄積することができる蓄熱システムを提供すること。【解決手段】  循環媒体を加温するための加温手段４と、循環媒体を循環させる循環媒体循環手段６と、熱を温水として蓄えるための貯湯タンク８と、貯湯タンクを通して蓄熱水を循環させる蓄熱水循環手段１０と、循環媒体と蓄熱水との間で熱交換を行うための熱交換器１２と、を備えた蓄熱システム。家屋の野地板と瓦との間には、この瓦に接触するように加温管保持部材１８が配設され、加温手段４は加温管保持部材１８に接触するように収容された加温管１６を有し、瓦及び加温管保持部材１８は粘土から形成され、瓦からの熱が加温管保持部材１８及び加温管１６を介して循環媒体に伝達される。【選択図】  図１
2006010265.tif 000002
【特許請求の範囲】
【請求項１】
循環媒体を加温するための加温手段と、前記加温手段を通して前記循環媒体を循環させる循環媒体循環手段と、熱を温水として蓄えるための貯湯タンクと、前記貯湯タンクを通して蓄熱水を循環させる蓄熱水循環手段と、前記循環媒体循環手段を流れる前記循環媒体と前記蓄熱水循環手段を流れる前記蓄熱水との間で熱交換を行うための熱交換器と、を備えており、
家屋の野地板と前記野地板に葺かれた瓦との間には、前記瓦に接触するように加温管保持部材が配設され、前記加温手段は前記加温管保持部材に接触するように収容された加温管を有し、前記瓦及び前記加温管保持部材は粘土から形成されており、
前記瓦が太陽により温められると、前記瓦からの熱が前記加温管保持部材を介して前記加温管に伝達され、前記加温管を通して流れる間に前記循環媒体が太陽熱を利用して温められることを特徴とする蓄熱システム。
【請求項２】
前記加温管保持部材には長手方向に延びる収容溝が設けられ、また前記野地板には屋根の傾斜方向に間隔をおいて横桟が設けられ、前記加温管保持部材は隣接する横桟間に嵌合するように配設され、前記加温管保持部材の前記収容溝は前記屋根の傾斜方向に延び、前記収容溝内に前記加温管が収容されることを特徴とする請求項１に記載の蓄熱システム。
【請求項３】
前記加温管保持部材には長手方向に延びる収容溝が設けられ、また前記野地板には屋根の傾斜方向に間隔をおいて横桟が設けられ、前記加温管保持部材は、横桟に取り付けられた瓦の上端面に当接するように配設され、前記加温管保持部材の前記収容溝は前記屋根の傾斜方向に対して実質上垂直な横方向に延び、前記収容溝内に前記加温管が収容されることを特徴とする請求項１に記載の蓄熱システム。
【請求項４】
前記循環媒体循環手段には温水を生成するための熱源機が配設され、瓦を加温するときには、前記熱源機によって生成された温水が前記加温管を通して循環されることを特徴とする請求項１〜３のいずれかに記載の蓄熱システム。
【請求項５】
屋根の一部には第１加温手段が設けられ、この屋根の残りの一部には第２加温手段が設けられ、太陽熱を利用して温水を生成するときには、循環媒体が前記第１加温手段を通して循環され、また瓦を加温するときには、前記熱源機が作動され、前記熱源機により生成された温水が前記第１加温手段及び第２加温手段を通して循環されることを特徴とする請求項４に記載の蓄熱システム。
【請求項６】
細長い矩形状の底壁と、前記底壁の両側部から上方に延びる一対の側壁とを有し、前記底壁及び前記一対の側壁によって加温管を収容するための収容溝が規定され、前記一対の側壁の一端部には載置段部が設けられ、屋根の傾斜方向下側の瓦の上端部が前記一対の側壁の前記載置段部に載置され、前記傾斜方向上側の瓦が前記下側の瓦の上端部を覆うように前記一対の側壁の上面に載置されることを特徴とする加温管保持部材。
【請求項７】
細長い矩形状の底壁と、前記底壁の両側部から上方に延びる一対の側壁とを有し、前記底壁及び前記一対の側壁によって加温管を収容するための収容溝が規定され、前記一対の側壁の一方はそれらの他方よりも高く形成され、前記一対の側壁の一方が屋根の傾斜方向下側の瓦の上端面に当接するように配設され、前記傾斜方向上側の瓦が前記下側の瓦の上端部並びに前記底壁及び前記一対の側壁を覆うように載置されることを特徴とする加温管保持部材。
【請求項８】
細長い矩形状の底壁と、前記底壁の両側部から上方に延びる一対の側壁とを有し、前記底壁及び前記一対の側壁によって加温管を収容するための収容溝が規定され、前記一対の側壁の各々は、幅方向中央に向けて高くなるように、その上面が上方に傾斜して延びており、横方向に隣接する一対の瓦の一方は前記一対の側壁の一方の上面に載置され、前記一対の瓦の他方は前記一対の側壁の他方の上面に載置されることを特徴とする加温管保持部材。
【請求項９】
屋根の野地板と瓦との間に配設される加温管及びこれを保持する加温管保持部材を備えた蓄熱システムの施工方法であって、
前記野地板の表面に、前記屋根の傾斜方向に間隔をおいて複数の横桟を取り付け、前記横桟間に嵌合するように前記加温管保持部材を取り付け、前記加温管保持部材の収容溝に前記傾斜方向に延びるように前記加温管を収容し、その後前記野地板及び前記加温管保持部材を覆うように瓦を葺くことを特徴とする蓄熱システムの施工方法。
【請求項１０】
屋根の野地板と瓦との間に配設される加温管及びこれを保持する加温管保持部材を備えた蓄熱システムの施工方法であって、
前記野地板の表面に、前記屋根の傾斜方向に間隔をおいて複数の横桟を取り付け、前記傾斜方向下側の横桟に瓦を取り付け、次に前記加温管保持部材を前記瓦の上端面に当接するように配設し、前記加温管保持部材の収容溝に前記傾斜方向に対して実質上垂直な方向に延びるように加温管を収容し、その後前記瓦の上端部並びに前記加温管保持部材及び前記横桟の傾斜方向上側の横桟を覆うように上側の瓦を葺くことを特徴とする蓄熱システムの施工方法。
【発明の詳細な説明】
【技術分野】
【０００１】
本発明は、太陽熱により温められた瓦からの熱を温水として蓄える蓄熱システムに関する。また、このような蓄熱システムにおける加温管を保持するための加温管保持部材に関する。更に、このような蓄熱システムを施工するための施工方法に関する。
【背景技術】
【０００２】
従来から、太陽熱を利用した太陽熱温水生成装置が知られている。この太陽熱温水生成装置は太陽熱を吸収するためのガラス管や金属管などを通した箱型の機器本体を備え、この機器本体が屋根の上に設置される。このような太陽熱温水生成装置では、ガラス管（金属管）を通して水などの液体が流れ、かく流れる液体が太陽熱を吸収して加温され、このように太陽熱を利用して温水が生成される。
【０００３】
このような太陽熱温水生成装置は、通常、屋根の上に直接的に設置されるか、又は屋根の上に設けられた支持機構を介して設置されている。そのため、屋根の設置個所に部分的に大きな負荷が作用する、屋根の外観が大きく変わる、或いは、屋根瓦の外形が見えなくなるなどの問題がある。また、屋根の上に設置された太陽熱温水生成装置には、太陽光が当たり、また雨、風などに晒されるため、装置本体やガラス管（金属管）などの材質劣化が激しく、それ故に、これらに対して充分な耐久性があるものを使用しなければならず、このことに起因して、太陽熱温水生成装置の製造コストが高くなるという問題がある。
【０００４】
このようなことから、屋根の瓦やスレートの下に可撓性を有する熱交換パイプを通した熱交換マットを備えた熱交換システムが提案されている（例えば、特許文献１参照）。この熱交換システムでは、熱交換マットが屋根の瓦などの下に配置されるように構成され、それ故に、屋根の外観を維持したままの取付状態において、太陽により温められた瓦の熱が熱交換パイプを流れる液体に伝えられ、その加温された液体との熱交換によって温水が生成される。
【０００５】
【特許文献１】特開２００２−１６８５３１号公報
【発明の開示】
【発明が解決しようとする課題】
【０００６】
この熱交換マットを備えた熱交換システムにおいては、野地板に所定間隔をおいて凹部が設けられ、この凹部に熱交換パイプが収容され、このように熱交換パイプを通すことによって熱交換マットが形成される。従って、熱交換パイプのための凹部を野地板に多数形成しなければならず、そのための作業が煩雑て手間がかかり、施工コストも高くなる問題がある。
【０００７】
また、野地板の凹部に熱交換パイプが収容されるので、野地板に葺かれる瓦と野地板（換言すると、熱交換パイプ）との間には、瓦の種類によっては空間が存在し、このように空間が生じた場合、瓦からの熱が熱交換パイプに効率良く伝達されず、充分な蓄熱特性が得られないという問題がある。
【０００８】
本発明の目的は、簡単な構造でもって、太陽によって温められた瓦の熱を加温管を介してそこを流れる循環媒体に伝達し、その伝達された熱を温水として蓄えることができる蓄熱システムを提供することである。
【０００９】
また、本発明の他の目的は、屋根に葺かれる瓦の下に所望の通りに加温管を配設することができる加温管保持部材を提供することである。
また、本発明の更に他の目的は、屋根の瓦と野地板との間に所望の通りに加温管を配設して太陽熱を利用して温水を生成することができる蓄熱システムの施工方法を提供することである。
【課題を解決するための手段】
【００１０】
本発明の請求項１に記載の蓄熱システムは、循環媒体を加温するための加温手段と、前記加温手段を通して前記循環媒体を循環させる循環媒体循環手段と、熱を温水として蓄えるための貯湯タンクと、前記貯湯タンクを通して蓄熱水を循環させる蓄熱水循環手段と、前記循環媒体循環手段を流れる前記循環媒体と前記蓄熱水循環手段を流れる前記蓄熱水との間で熱交換を行うための熱交換器と、を備えており、
家屋の野地板と前記野地板に葺かれた瓦との間には、前記瓦に接触するように加温管保持部材が配設され、前記加温手段は前記加温管保持部材に接触するように収容された加温管を有し、前記瓦及び前記加温管保持部材は粘土から形成されており、
前記瓦が太陽により温められると、前記瓦からの熱が前記加温管保持部材を介して前記加温管に伝達され、前記加温管を通して流れる間に前記循環媒体が太陽熱を利用して温められることを特徴とする。
【００１１】
また、本発明の請求項２に記載の蓄熱システムでは、前記加温管保持部材には長手方向に延びる収容溝が設けられ、また前記野地板には屋根の傾斜方向に間隔をおいて横桟が設けられ、前記加温管保持部材は隣接する横桟間に嵌合するように配設され、前記加温管保持部材の前記収容溝は前記屋根の傾斜方向に延び、前記収容溝内に前記加温管が収容されることを特徴とする。
【００１２】
また、本発明の請求項３に記載の蓄熱システムでは、前記加温管保持部材には長手方向に延びる収容溝が設けられ、また前記野地板には屋根の傾斜方向に間隔をおいて横桟が設けられ、前記加温管保持部材は、横桟に取り付けられた瓦の上端面に当接するように配設され、前記加温管保持部材の前記収容溝は前記屋根の傾斜方向に対して実質上垂直な横方向に延び、前記収容溝内に前記加温管が収容されることを特徴とする。
【００１３】
また、本発明の請求項４に記載の蓄熱システムでは、前記循環媒体循環手段には温水を生成するための熱源機が配設され、瓦を加温するときには、前記熱源機によって生成された温水が前記加温管を通して循環されることを特徴とする。
【００１４】
また、本発明の請求項５に記載の蓄熱システムでは、屋根の一部には第１加温手段が設けられ、この屋根の残りの一部には第２加温手段が設けられ、太陽熱を利用して温水を生成するときには、循環媒体が前記第１加温手段を通して循環され、また瓦を加温するときには、前記熱源機が作動され、前記熱源機により生成された温水が前記第１加温手段及び第２加温手段を通して循環されることを特徴とする。
【００１５】
また、本発明の請求項６に記載の加温管保持部材は、細長い矩形状の底壁と、前記底壁の両側部から上方に延びる一対の側壁とを有し、前記底壁及び前記一対の側壁によって加温管を収容するための収容溝が規定され、前記一対の側壁の一端部には載置段部が設けられ、屋根の傾斜方向下側の瓦の上端部が前記一対の側壁の前記載置段部に載置され、前記傾斜方向上側の瓦が前記下側の瓦の上端部を覆うように前記一対の側壁の上面に載置されることを特徴とする。
【００１６】
また、本発明の請求項７に記載の加温管保持部材は、細長い矩形状の底壁と、前記底壁の両側部から上方に延びる一対の側壁とを有し、前記底壁及び前記一対の側壁によって加温管を収容するための収容溝が規定され、前記一対の側壁の一方はそれらの他方よりも高く形成され、前記一対の側壁の一方が屋根の傾斜方向下側の瓦の上端面に当接するように配設され、前記傾斜方向上側の瓦が前記下側の瓦の上端部並びに前記底壁及び前記一対の側壁を覆うように載置されることを特徴とする。
【００１７】
また、本発明の請求項８に記載の加温管保持部材は、細長い矩形状の底壁と、前記底壁の両側部から上方に延びる一対の側壁とを有し、前記底壁及び前記一対の側壁によって加温管を収容するための収容溝が規定され、前記一対の側壁の各々は、幅方向中央に向けて高くなるように、その上面が上方に傾斜して延びており、横方向に隣接する一対の瓦の一方は前記一対の側壁の一方の上面に載置され、前記一対の瓦の他方は前記一対の側壁の他方の上面に載置されることを特徴とする。
【００１８】
また、本発明の請求項９に記載の蓄熱システムの施工方法は、屋根の野地板と瓦との間に配設される加温管及びこれを保持する加温管保持部材を備えた蓄熱システムの施工方法であって、
前記野地板の表面に、前記屋根の傾斜方向に間隔をおいて複数の横桟を取り付け、前記横桟間に嵌合するように前記加温管保持部材を取り付け、前記加温管保持部材の収容溝に前記傾斜方向に延びるように前記加温管を収容し、その後前記野地板及び前記加温管保持部材を覆うように瓦を葺くことを特徴とする。
【００１９】
また、本発明の請求項１０に記載の蓄熱システムの施工方法は、屋根の野地板と瓦との間に配設される加温管及びこれを保持する加温管保持部材を備えた蓄熱システムの施工方法であって、
前記野地板の表面に、前記屋根の傾斜方向に間隔をおいて複数の横桟を取り付け、前記傾斜方向下側の横桟に瓦を取り付け、次に前記加温管保持部材を前記瓦の上端面に当接するように配設し、前記加温管保持部材の収容溝に前記傾斜方向に対して実質上垂直な方向に延びるように加温管を収容し、その後前記瓦の上端部並びに前記加温管保持部材及び前記横桟の傾斜方向上側の横桟を覆うように上側の瓦を葺くことを特徴とする。
【発明の効果】
【００２０】
本発明の請求項１に記載の蓄熱システムによれば、野地板と瓦との間に加温管保持部材が配設され、この加温管保持部材に加温管が収容されるので、加温管が屋根の上に配設されることがなく、屋根の外観をそのままの状態に保つことができる。また、加温管保持部材は瓦に接触するように配設され、加温管は加温管保持部材に接触するように収容されるので、太陽により温められた瓦からの熱は加温管保持部材及び加温管を介して循環媒体に伝達され、太陽熱を温水として効率良く蓄熱することができる。また、瓦及び加熱管保持部材が粘土から形成されているので、太陽熱の熱伝達が良く、このことによっても効率良く蓄熱することができる。また、加熱管を保持するのに加温管保持部材を用いるので、野地板に特別な加工を施す必要がなく、従来の野地板上に加熱管保持部材を配設して加温管を収容すればよく、従来の屋根葺き工法をそのまま用いて施工することができる。更に、加温管が野地板と瓦との間に配設されるので、この加温管に直接太陽光が当たらず、また雨、風などに晒されることも無く、長期にわたって使用することができる。
【００２１】
また、本発明の請求項２に記載の蓄熱システムによれば、加温管保持部材が屋根の傾斜方向に配設される横桟間に嵌合するように配設されるので、野地板に特別な加工を施すことなく、加温管保持部材を簡単に取り付けることができる。このような加温管保持部材は屋根の傾斜方向に延びるので、縦桟として機能させることができ、従来の縦桟を省略することも可能となるが、縦桟とともに用いるようにしてもよい。加温管保持部材のこのような取付けは、和瓦の屋根に好都合に適用することができる。
【００２２】
また、本発明の請求項３に記載の蓄熱システムによれば、加温管保持部材が横桟に取り付けられた瓦の上端面に当接するように配設されるので、野地板に特別な加工を施すことなく、加温管保持部材を簡単に取り付けることができる。このような加温管保持部材は屋根傾斜方向に実質上垂直な横方向に延びるので、平瓦の屋根に好都合に適用することができる。
【００２３】
また、本発明の請求項４に記載の蓄熱システムによれば、循環媒体循環手段に熱源機が配設されているので、この熱源機を作動させて生成した温水を加温管を通して循環することができ、冬場などに瓦上に積雪があった場合にその積雪を融かすことができる。これによって、雪掻きなどを行うことなく瓦上の雪を除去することができる。
【００２４】
また、本発明の請求項５に記載の蓄熱システムによれば、屋根の一部、例えば太陽光が照射される南側の部分に第１加温手段が、この屋根の残りの一部、例えば太陽光がほとんど照射されない北側の部分に第２加温手段が設けられている。太陽熱を利用して温水を生成する、即ち太陽熱を蓄熱するときには、循環媒体が第１加熱手段を通して循環され、循環媒体を無駄に循環させることなく、太陽熱を効率良く蓄熱することができる。また、瓦を加温するときには熱源機が作動され生成された温水が第１加温手段及び第２加温手段を通して循環されるので、冬場などに瓦上に積雪があった場合に屋根全体に積もった雪を融かすことができる。
【００２５】
また、本発明の請求項６に記載の加温管保持部材によれば、底壁と一対の側壁とから規定される収容溝に加温管が収容されるので、加温管を加温管保持部材に簡単に取り付けることができる。また、一対の側壁の一端部に載置段部が設けられ、この載置段部に屋根の傾斜方向下側の瓦の上端部が載置され、屋根の傾斜方向上側の瓦がこの下側の瓦の上端部を覆うように一対の側壁の上面に載置されるので、屋根の傾斜方向に重ねて葺かれる瓦と野地板との間の空間に所要の通りに取り付けることができる。このような加温管保持部材は屋根の傾斜方向に例えば横桟間に配設されるので、和瓦の屋根に好都合に用いることができる。
【００２６】
また、本発明の請求項７に記載の加温管保持部材によれば、底壁と一対の側壁とから規定される収容溝に加温管が収容されるので、加温管を簡単に取り付けることができる。また、一対の側壁の一方がそれらの他方よりも高く形成され、この一方の側壁が屋根の傾斜方向下側の瓦の上端面に当接するように配設されるので、傾斜方向下側の瓦を利用して野地板と瓦との間の空間に所要の通りに取り付けることができる。このような加温管保持部材は屋根の傾斜方向に対して実質上垂直な横方向に配置されるので、平瓦の屋根に好都合に用いることができる。
【００２７】
また、本発明の請求項８に記載された加温管保持部材によれば、底壁と一対の側壁とから規定される収容溝に加温管が収容されるので、加温管を簡単に取り付けることができる。また、一対の側壁の各々が、幅方向中央に向けて高くなるように、その上面が傾斜して延びており、横方向に隣接する一対の瓦の一方がこの一対の側壁の一方の上面に載置され、横方向に隣接する一対の瓦の他方がこの一対の側壁の他方の上面に配置されるので、隣接する一対の瓦と野地板との間の空間に所要の通りに取り付けることができる。このような加温管保持部材は屋根の傾斜方向に例えば横桟間に配設されるので、神社などの屋根に好都合に用いることができる。
【００２８】
また、本発明の請求項９に記載の蓄熱システムの施工方法によれば、野地板に取り付けた横桟間に加温管保持部材を嵌合し、かく取り付けた加温管保持部材に加温管を収容し、その後野地板及び加温管保持部材を覆うように瓦を葺くので、従来の和瓦の施工工法を変更することなくこの蓄熱システムの施工を行うことができる。
【００２９】
また、本発明の請求項１０に記載の蓄熱システムの施工方法によれば、野地板に取り付けた横桟に瓦を取り付け、この瓦の上端面に当接するように加温管保持部材を配設し、かく配設した加温管保持部材に加温管を収容し、その後葺いた瓦の上端部及び加温管保持部材を覆うように上側の瓦を葺くので、従来の平瓦の施工方向を変更することなくこの蓄熱システムの施工を行うことができる。
【発明を実施するための最良の形態】
【００３０】
以下、添付図面を参照して、本発明に従う蓄熱システム及びこれに用いられる加温管保持部材並びに蓄熱システムの施工方法の最良の実施形態について説明する。
〔蓄熱システムの第１の実施形態〕
まず、図１〜図３を参照して、第１の実施形態の蓄熱システムについて説明する。図１は、第１の実施形態の蓄熱システムの全体を簡略的に示すシステム図であり、図２は、図１の蓄熱システムの制御系を簡略的に示すブロック図であり、図３は、図２の制御系による制御を示すフローチャートである。
【００３１】
図１において、図示の蓄熱システム２は、循環媒体を加温するための加温手段４と、加温手段４を通して循環媒体を循環させる循環媒体循環手段６と、熱を温水として蓄える貯湯タンク８と、貯湯タンク８内の水（又は温水）を循環させる蓄熱水循環手段１０と、熱交換器１２とを備えている。
【００３２】
加温手段４は加熱管１６から構成され、家屋の野地板１４と野地板１４に葺かれた瓦（図示せず）との間に配設され、この空間に配設された加熱管保持部材１８に収容される。尚、加熱管保持部材１８及びこれに関連する構成については、後述する。夏場などにおいては、太陽熱によって瓦の温度は５０℃を超える温度まで上昇するので、加温管１６は、耐久性、耐熱クリープ性及び保湿性を有し、また結露しにくい、例えばポリブデンなどの樹脂性パイプから構成される。
【００３３】
循環媒体循環手段６はこの加温管１６に関連して設けられ、循環媒体を加温管１６を通して循環する。循環媒体循環手段６は、加温管１６に接続された循環媒体循環流路１７と、循環媒体循環流路１７に配設された供給ポンプ２０とを備えている。供給ポンプ２０が作動すると、循環媒体が循環媒体循環流路１７及び加温管１６を通して矢印で示すように循環される。循環媒体は水などの液体でよく、凍結などの発生を防止するためには不凍液を用いるのが望ましい。
【００３４】
この実施形態では、加温管１６に関連して、野地板１４と瓦との間の空間の温度を検出するための第１温度センサ１８が配設されている。また、循環流体循環流路１７には、循環する循環流体の温度を検出するための第２温度センサ２２が配設されている。
【００３５】
蓄熱水循環手段１０は貯湯タンク８に関連して設けられ、蓄熱水を循環する蓄熱水循環流路２４を備え、この蓄熱水循環流路２４が貯湯タンク８に接続されている。蓄熱水循環手段１０は、蓄熱水循環流路２４に配設された送給ポンプ２６と、蓄熱水循環流路２４を開閉する開閉弁２８とを備えている。開閉弁２８が開状態に保持された状態において送給ポンプ２６が作動すると、貯湯タンク８の底部の蓄熱水が矢印で示すように蓄熱水循環流路２４を通して貯湯タンク８の上部に送給され、このようにして貯湯タンク８内の蓄熱水が循環される。
【００３６】
熱交換器１２は循環媒体循環流路１７及び蓄熱水循環流路２４との間に配設され、この熱交換器１２において、循環媒体循環流路１７を流れる循環媒体と蓄熱水循環流路２４を流れる蓄熱水との間で熱交換され、循環媒体からの熱が蓄熱水に伝達されて温水として貯湯タンク８に蓄えられる。  
貯湯タンク８には給水ライン３０及び給湯ライン３２が接続され、この給水ライン３０を通して水道水などの水（この水が蓄熱水となる）が貯湯タンク８に送給され、また給湯ライン３０を通して給湯タンク８内の温水（蓄熱された蓄熱水）がカラン（図示せず）に出湯される。この貯湯タンク８内には、貯湯された蓄熱水の温度を検出するための第３温度センサ３４が配設されている。
【００３７】
この蓄熱システム２は、図２に示す制御系によって作動制御される。図２を参照して、蓄熱システム２は制御手段３６を備え、この制御手段３６は例えばマイクロプロセッサから構成される。図示の制御手段３６は、作動制御手段３８、温度比較手段４０、作動信号生成手段４２、停止信号生成手段４４、第１メモリ４６及び第２メモリ４８を含んでいる。作動制御手段３６は送給ポンプ２０，２６などを後述する如く作動制御し、温度比較手段４０は第１及び第２温度センサ１８，２２の検出温度と設定温度（後述する）とを比較する。また、作動信号生成手段４２は後述する如く作動信号を生成し、停止信号生成手段４４は後述する如く停止信号を生成する。第１メモリ４６には、循環媒体循環手段６の送給ポンプ２０を作動させる際の設定温度（第１温度）が記憶され、この第１温度は例えば２０℃程度に設定される。また、第２メモリ４８には、蓄熱水循環手段１０の送給ポンプ２６を作動させる際の設定温度（第２温度）が記憶され、この第２温度は例えば３０℃程度に設定される。
【００３８】
蓄熱システム２は、更に、運転操作するための操作手段５０を備えるとともに、運転状態などを表示するためのモニタ５２を備えている。操作手段５０からの操作信号は制御手段３６に送給され、また第１〜第３温度センサ１８，２２，３４からの検出信号も制御手段に送給される。
【００３９】
次に、主として図３を参照して、上述した蓄熱システム２の動作について説明する。太陽熱を蓄熱するには、操作手段５０を運転操作してシステムを稼動すればよい。蓄熱システム２の稼動状態においては、まず、第１温度センサ１８の検出温度が第１温度（例えば、２０℃）を超えているかが判断される（ステップＳ１）。即ち、温度比較手段４０は第１温度と第１温度センサ１８の検出温度を比較し、第１温度センサ１８の検出温度が第１温度を超えると、作動信号生成手段４２が作動信号を生成し、この作動信号に基づいて循環媒体循環手段６の送給ポンプ２０が作動される（ステップＳ２）。第１温度センサ１８の温度が第１温度を超えると、太陽熱によって瓦が温まり、加温管保持部材１８及び加温管１６を介して循環流体を加温することが可能となる。
【００４０】
送給ポンプ２０が作動すると、循環媒体が循環媒体循環流路１７及び加温管１６を通して循環され、加温管１６を通して循環される間に、瓦からの熱が加温管保持部材１８及び加温管１６を介して循環媒体に伝達され、太陽熱を利用して循環媒体が加温される。
【００４１】
このように循環媒体が加温されると、第２温度センサ２２の検出温度が第２温度（例えば、３０℃）を超えたかが判断される（ステップＳ３）。即ち、温度比較手段４０は第２温度と第２温度センサ２２の検出温度を比較し、第２温度センサ２２の検出温度が第２温度を超えると、ステップＳ４に進む。第２温度センサ２２の温度が第２温度を超えると、太陽熱によって循環媒体循環流路１７を循環する循環媒体の温度が熱交換するに充分に加温され、熱交換器１２における熱交換が可能となる。
【００４２】
ステップＳ４においては、作動信号生成手段４２による生成される作動信号に基づいて開閉弁２８が開状態となり、更にこの作動信号に基づいて送給ポンプ２６が作動される（ステップＳ５）。かくすると、貯湯タンク８内の蓄熱水が蓄熱水循環流路２４を通して循環され、熱交換器１２において、循環媒体循環流路１７を流れる循環媒体と蓄熱水循環流路２４を流れる蓄熱水との間で熱交換が行われ、熱交換により加温された蓄熱水が貯湯タンク８に貯湯され、このようにして太陽熱が温水として貯湯タンク８に貯えられる。
【００４３】
このような蓄熱中においては、第２温度センサ２２の検出温度が第２温度以下に低下したかが判断される（ステップＳ６）。太陽熱の伝達が弱くなり（例えば、夕方になって太陽が沈みかける）、循環媒体の温度が低下して第２温度センサ２２の検出温度が第２温度以下に下がると、熱交換器１２における熱交換ができなくなるので、停止信号生成手段４４は停止信号を生成し、この停止信号に基づいて送給ポンプ２６が停止し（ステップＳ７）、また開閉弁２８が閉状態となる（ステップＳ８）。かくすると、蓄熱水が循環されなくなり、太陽熱の蓄熱が終了する。
【００４４】
その後、第２温度センサ２２の検出温度が第２温度を超えたかが判断され（ステップＳ９）、第２温度を超えるとステップＳ４に戻り、開閉弁２８が開状態になり、送給ポンプ２６が作動し、蓄熱水の蓄熱水循環流路２４を通しての循環が行われ、太陽熱の蓄熱が再開される。一方、第２温度センサ２２の検出温度が第２温度を超えないと、ステップＳ１０に進み、第１温度センサ１８の検出温度が第１温度以下になったかが判断される（ステップＳ１０）。そして、第１温度センサ１８の検出温度が第１温度以下まで低下すると、停止信号生成手段４４は停止信号を生成し、この停止信号に基づいて送給ポンプ２０の作動が停止する（ステップＳ１１）。このように第１温度センサ１８の温度が第１温度以下まで下がると、瓦に太陽光が充分当たらなくなったことを示し、このまま循環媒体を循環されても循環媒体を加温することができなくなるので、送給ポンプ２０の作動が停止され、循環媒体の循環が終了し、このようにして蓄熱システム２の蓄熱動作が終了する。
【００４５】
〔蓄熱システムの第２の実施形態〕
次に、図４〜図７を参照して、第２の実施形態の蓄熱システムについて説明する。図４は、第２の実施形態の蓄熱システムの全体を簡略的に示すシステム図であり、図５は、図４の蓄熱システムの制御系を簡略的に示すブロック図であり、図６は、図５の制御系による制御の温水による蓄熱運転を示すフローチャートであり、図７は、図５の制御系による制御の融雪運転を示すフローチャートである。尚、以下の実施形態において、第１の実施形態と実質上同一の部材には同一の参照番号を付し、その説明を省略する。
【００４６】
図４において、図示の蓄熱システム２Ａは、屋根の一部、例えば南側の屋根に設けられる第１加熱手段４Ａと、屋根の残り、例えば北側の屋根に設けられる第２加熱手段４Ｂを備えている。第１及び第２加熱手段４Ａ，４Ｂは実質上同一の構成であり、第１の実施形態と同様に、加温管１６Ａ，１６Ｂから構成され、かかる加温管１６Ａ，１６Ｂが屋根に葺かれた瓦（図示せず）と野地板１４との間の空間に配設された加温管保持部材１８に収容されている。
【００４７】
また、この実施形態では、循環媒体循環手段６Ａの循環媒体循環流路１７は一対の分岐流路５１，５３を有し、一方の分岐流路５１が第１加温手段１６Ａに接続され、他方の分岐流路５３が第２加温手段１６Ｂに接続されている。一対の分岐流路５１，５３との上流側分岐部には第１切換弁５８が設けられ、それらとの下流側分岐部には第２切換弁６０が設けられている。第１及び第２切換弁５８，６０は、第１の状態にあるときには一方の分岐流路５１を開放し、他方の分岐流路５４３を閉塞し、循環媒体を分岐流路５１及び第１加熱手段１６Ａを通して循環し、また第２の状態にあるときのは双方の分岐流路５１，５３を開放し、循環媒体を分岐流路５１，５３及び第１及び第２加温手段４Ａ，４Ｂを通して循環する。
【００４８】
この実施形態では、更に、循環媒体循環流路１７には温水を生成するための熱源機５４（例えば、ボイラなど）が配設される。この熱源機５４は、屋根の瓦を加温するときに用いられる。また、操作手段５０Ａは融雪スイッチ６２を備え、屋根に積もった雪を融かすときに操作される。この第２の実施形態における他の構成については、図１に示す構成と同様である。
【００４９】
次に、主として図６を参照して、蓄熱システム２Ａの温水による蓄熱運転動作について説明する。操作手段５０Ａを操作して蓄熱運転を行うと、第１温度センサ１８の検出温度が第１温度（例えば、２０℃）を超えているかが判断され（ステップＳ２１）、この検出温度が第１温度を超えると、作動信号生成手段４２が作動信号を生成し、この作動信号に基づいて第１及び第２切換弁５８，６０が第１状態になり（ステップＳ２２）、分岐流路５１が開放され、他方の分岐流路５３が閉塞される。また、この作動信号に基づいて循環媒体循環手段６Ａの送給ポンプ２０が作動される（ステップＳ２３）。従って、循環媒体が循環媒体循環流路１７及び第１加熱手段４Ａの加温管１６Ａを通して循環され、この加温管１６Ａを通して循環される間に、瓦からの熱が加温管保持部材１８及び加温管１６Ａを介して循環媒体に伝達され、太陽熱を利用して循環媒体が加温される。
【００５０】
このように第２の実施形態においては、太陽熱の蓄熱は第１加熱手段４Ａの加温管１６Ａを通して循環される循環媒体を介して行われる。この形態のそれ以降の動作（ステップＳ２４〜ステップＳ３２）は、第１の実施形態の動作の流れ、即ち図３のフローチャートにおけるステップＳ３〜ステップＳ１１と実質上同一であり、それの説明については省略する。
【００５１】
次に、主として図７を参照して、蓄熱システム２Ａの融雪運転動作について説明する。融雪運転とは、屋根の瓦に積もった雪を融かす運転である。この融雪運転を行うときには、操作手段５０Ａの融雪スイッチ６２を操作すればよい。融雪スイッチ６２を操作する（ステップＳ４１）と、作動信号生成手段４２は作動信号を生成し、この作動信号に基づいて熱源機５４が作動し（ステップＳ４２）、温水が生成される。また、この作動信号に基づいて送給ポンプ２０が作動し（ステップＳ４３）、また第１及び第２切換弁５８，６０が第２の状態に切り換えられる（ステップＳ４４）。従って、循環媒体循環流路１７を流れる循環媒体は熱源機５４で加温され、加温された循環媒体が分岐流路５１，５３及び加温管１６Ａ，１６Ｂを通って循環され、循環媒体からの熱が加温管１６Ａ，１６Ｂ及び加温管保持部材１８を介して瓦に伝達され、この熱を用いて瓦に積もった雪を融かすことができる。
【００５２】
このような融雪運転中に循環媒体の温度（第１温度センサ１８の検出温度）が異常温度（例えば、４５℃）を超えると、制御手段３６Ａは異常信号を生成し、この異常信号に基づいて熱源機５４の作動が強制的に停止され（ステップＳ４６）、更に送給ポンプ２０の作動が停止する。これは、第１及び第２加温手段４Ａ，４Ｂに高温の循環媒体が流れることによって、これらが破損するのを防止するためである。
【００５３】
また、この融雪運転中に融雪スイッチ６２をオフ操作すると、ステップＳ４７からステップＳ４８に進み、停止信号生成手段４４は停止信号を生成し、この停止信号に基づいて熱源機５４が停止され（ステップＳ４８）、更に送給ポンプ２０の作動も停止され、このようにして融雪運転が終了する。
【００５４】
〔加温管保持部材の第１の実施形態〕
次に、図８〜図１２を参照して、第１（又は第２）の実施形態の蓄熱システムにおける加温管保持部材及びそれに関連する構成について説明する。図８は、蓄熱システムの施工例を説明するための平面図であり、図９は、図８におけるＩＸ−ＩＸ線による断面図であり、図１０は、加温管保持部材と瓦との位置関係を示す平面図であり、図１１は、図９の蓄熱システムにおける加温管保持部材を示す斜視図であり、図１２は、図１０の加温管保持部材のＸＩＩ−ＸＩＩ線による断面図である。
【００５５】
図８〜図１０において、瓦８０が載置される屋根の野地板１４には、屋根の傾斜方向（図８において上下方向）に間隔をおいて複数の横桟６６が設けられ、瓦８０はこの横桟６６の上面に載置される。この形態では、瓦８０の一端部（上端部）には幅方向に間隔をおいて一対の係止突起９２が設けられ、かかる係止突起９２が横桟６６に係止するように瓦８０が取り付けられる。
【００５６】
加温管１６を収容する加温管保持部材１８は、野地板１４とこの野地板１４上に葺かれる瓦８０との間の空間に配設され、屋根の傾斜方向に隣接する一対の横桟６６間に嵌合するように取り付けられる（図８及び図１０参照）。加温管保持部材１８には、その一端から他端まで長手方向に延びる収容溝６８が設けられ、この収容溝６８に加温管１６が収容される。加温管１６は、図示のように屋根の上側端部及び下側端部で折り返しながら屋根の傾斜方向に沿って一側端側から他側端側に向けて連続的に配設される。尚、加温管１６の折り返し部分では、加温管保持部材１８は省略され、このように省略することによって、加温管１６の折り返しが許容され、こようにして加温管１６を屋根の所定領域、例えば屋根の南側面のほぼ全域に配設することができる。
【００５７】
次に、主として図１０〜図１２を参照して加温管保持部材１８について説明すると、この加温管保持部材１８は、細長い矩形状の底壁８２と、底壁８２の両側部から上方に延びる一対の側壁８４，８６とを有し、底壁８２及び一対の側壁８４，８６は加温管１６を収容するための収容溝６８を規定する。収容溝６８の底面は、収容される加温管１６の外形に対応した半円形状であり、加温管１６はこの収容溝６８の底面に接触するように収容される（図８参照）。
【００５８】
加温管保持部材１８には、更に、一対の側壁８４，８６の一端部（図８及び図１０において下側端部、図１０において手前側端部）には、略矩形状に切り欠かれて載置段部８８，９０が設けられている。この載置段部８８，９０の深さは、載置される瓦８０の厚さにほぼ対応し、後述するように、屋根の傾斜方向下側の瓦８０の上端部が載置される。
【００５９】
この加温管保持部材１８では、載置される瓦８０の内面形状に対応して、図１２に示すように、側壁８４の高さは、側壁８６の高さよりも幾分低く形成され、またこれら側壁８４，８６の上面は幾分上方に弧状に突出している。更に、側壁８４，８６の他端側（図１０において奥側）の高さは、それらの一端部（図１０において手前側）の高さよりも低くなるように形成され、野地板１４に取り付けた際に、一対の側壁８４，８６の上面が瓦８０の傾斜角度と一致するように構成されている。尚、加温管保持部材１８はこような構成に限定されず、加温管１６を収容する収容溝６８を有する適宜のものでよい。
【００６０】
このような加温管保持部材１８は瓦８０と同じ粘土を用い、瓦８０と同様にして製作され、このように粘土から形成することによって、太陽からの熱によって温められ易く、また温められた熱が加温管１６に伝達され易く、太陽熱を効率良く蓄熱することができる。このような加温管保持部材１８は、図８及び図９から理解されるように、全体が湾曲した和瓦（日本瓦ともいう）を用いた屋根に組み込むときに好都合に適用することができる。
【００６１】
次に、図８〜図１０を参照して、上述した蓄熱システム２の施工方法について説明する。この施工方法は、いわゆる縦桟工法といわれるものに相当し、加温管保持部材１８が縦桟として用いられ、横桟６６間に嵌合するよう配設されるが、従来の縦桟を設け、この縦桟に並行に加温管保持部材１８を設けるようにしてもよい。尚、説明の便宜上、図８に示す６枚の瓦８０の部分について説明し、この説明において、下側４枚の瓦をそれぞれ瓦８０ｂ（左下側）、瓦８０ｃ（左上側）、瓦８０ｄ（右下側）、瓦８０ｅ（右上側）とし、これら瓦８０ｂ，８０ｃ，８０ｄ，８０ｅに関連する部分について説明する。
【００６２】
まず、瓦８０を葺くための野地板１４を取り付け、この野地板１４上に所定間隔（瓦８０の縦方向に長さに対応する間隔）をおいて横桟６６を釘などを用いて取り付ける。その後、野地板１４上の隣接する横桟６６間に加温管保持部材１８を嵌合し、屋根の傾斜方向に直線状に並ぶように配置し、このように配置することによって、屋根の傾斜方向に並ぶ加温管保持部材１８の収容溝６８が上記傾斜方向に直線状に連通する。そして、屋根の一側端側、図８において左側端側から他側端側、図２において右側端側に向けて上下方向に折り返しながら加温管１６を加温管保持部材１８の収容溝６８内に接触するように収容する。
【００６３】
その後、野地板１４上に左下側の瓦８０ｂから葺くようになる。瓦８０ｂは、下側の加温管保持部材１８から上側の加温管保持部材１８にわたって載置され、その一側部（図８〜図１０において右側部）の下側大部分は、下側の加温管保持部材１８の側壁８４の上面に載置され、その一側部の上端部は、上側の加温管保持部材１８の側壁８４の載置部８８の上面に載置され（図１０に一点鎖線８０ｂで示す）、その一側部は、下側の加温管保持部材１８の側壁８４及び上側の加温管保持部材１８の側壁８４の載置部８８に接触するようになる。
【００６４】
次に、野地板１４上に左上側の瓦８０ｃを葺くようになる。瓦８０ｃは下側の瓦８０ｂの上端部を覆うように載置され、その一側部（図８〜１０において右側部）は、下側の横桟６６近傍から瓦８０ｂの上端部及び上側の加温管保持部材１８の側壁８４及び更に上側の加温管保持部材１８の側壁８４の載置部８４にわたって載置され、その一側部は、上側の加温管保持部材１８の側壁８４及び更に上側の加温管保持部材１８の側壁８４の載置部８８に接触するようになる。このように瓦８０ｂ，８０ｃは、下から上に向けて直線状に重なるように載置される。
【００６５】
次いで、野地板１４上に右下側の瓦８０ｄを葺くようになる。瓦８０ｄの一側部（図８〜図１０において右側部）は、瓦８０ｂの一側部同様に、右横下側の加温管保持部材１８から右横上側の加温管保持部材１８にわたって載置され、その一側部の下側大部分は、横右下側の加温管保持部材１８の側壁８４の上面に載置され、その一側部の上端部は、右横横上側の加温管保持部材１８の側壁８４の載置部８８の上面に載置され、その一側部は、右横下側の加温管保持部材１８の側壁８４及び右横上側の加温管保持部材１８の側壁８４の載置部８８に接触するようになる。また、瓦８０ｄの他側部（図８〜図１０において左側部）においては、左側の瓦８０ｂの一側部を覆うように下側の加温管保持部材１８から上側の加温管保持部材１８にわたって設けられ、その他側部の下側大部分は、下側の加温管保持部材１８の他方の側壁８６の上面に載置され、その一側部の上端部は、上側の加温管保持部材１８の他方の側壁８６の載置部９０の上面に載置され（図１０に二点鎖線８０ｄで示す）、その他側部は、下側の加温管保持部材１８の側壁８６及び上側の加温管保持部材８４の載置部８８に接触するようになり、この加温管保持部材１８の側壁８６から外側に突出する部分が、加温管保持部材１８及び左側の瓦８０ｂの一側部を覆うようになる。
【００６６】
その後、野地板１４の上の右上側の瓦８０ｅを葺くようになる。瓦８０ｅは右下側の瓦８０ｄの上端部を覆うように載置され、瓦８０ｄと同様に、瓦８０ｅの一側部（図８〜図１０において右側部）は、右横上側の加温管保持部材１８から右横二つ上側の加温管保持部材１８にわたって載置され、その一側部の下側大部分は、横右上側の加温管保持部材１８の側壁８４の上面に載置され、その一側部の上端部は、右横二つ上側の加温管保持部材１８の側壁８４の載置部８８の上面に載置され、その一側部は、右横上側の加温管保持部材１８の側壁８４及び右横二つ上側の加温管保持部材１８の側壁８４の載置部８８に接触するようになる。また、瓦８０ｅの他側部（図８〜図１０において左側部）においては、左側の瓦８０ｃの一側部を覆うように上側の加温管保持部材１８から二つ上側の加温管保持部材１８にわたって設けられ、その他側部の下側大部分は、上側の加温管保持部材１８の他方の側壁８６の上面に載置され、その一側部の上端部は、二つ上側の加温管保持部材１８の他方の側壁８６の載置部９０の上面に載置され（図１０に二点鎖線８０ｅで示す）、その他側部は、上側の加温管保持部材１８の側壁８６及び二つ上側の加温管保持部材８４の載置部８８に接触するようになり、この加温管保持部材１８の側壁８６から外側に突出する部分が、加温管保持部材１８及び左側の瓦８０ｃの一側部を覆うようになる。このように瓦８０ｄ，８０ｅが、下から上に向けて直線状に重なるように載置される。
【００６７】
上述したように施工されるので、瓦８０の一側部は隣接する加温管保持部材１８の一方の側壁８４（及びその載置部８８）に載置接触され、その他側部は隣接する加温管保持部材１８の側壁８６（及びその載置部９０）に載置接触されるので、太陽によって温められた瓦８０の熱が加温管保持部材１８に効率良く伝達され、更にこの加温管保持部材１８及び加温管１６を介して循環媒体に伝達される。
【００６８】
〔加温管保持部材の第２の実施形態〕
次に、図１３〜図１５を参照して、加温管保持部材の他の実施形態及びこれを用いた蓄熱システムの施工方法について説明する。図１３は、他の実施形態の加温管保持部材を用いた蓄熱システムを簡略的に示す平面図であり、図１４は、図１３におけるＸＩＶ−ＸＩＶ線による断面図であり、図１５は、図１３の蓄熱システムにおける加温管保持部材を示す断面図である。
【００６９】
図１３及び図１４において、瓦９８が載置される屋根の野地板１４には、屋根の傾斜方向（図１３において上下方向）に間隔をおいて複数の横桟６６が設けられ、瓦９８はこの横桟６６の上面に載置される。この形態では、瓦９８の一端部（上端部）には幅方向に延びる突部１０６が設けられ、この突部１０６に係合凹部１０８が設けられ、かかる係合凹部１０８が横桟６６に係合するように瓦９８が取り付けられる。
【００７０】
この形態においても、加温管１６を収容する加温管保持部材９４は、野地板１４とこの野地板１４上に葺かれる瓦９８との間の空間に配設され、横桟６６に取り付けられる瓦９８の上端面に当接するように取り付けられる（図１４参照）。加温管保持部材９４には、その一端から他端まで長手方向に延びる収容溝９６が設けられ、この収容溝９６に加温管１６が収容される。加温管１６は、図示のように屋根の右側端部及び左側端部で折り返しながら屋根の傾斜方向に沿って下端側から上端側に向けて連続的に配設される。尚、加温管１６の折り返し部分では、加温管保持部材９４は省略され、このように省略することによって、加温管１６の折り返しが許容され、こようにして加温管１６を屋根の所定領域、例えば屋根の南側面のほぼ全域に配設することができる。
【００７１】
次に、主として図１４及び図１５を参照して加温管保持部材９４について説明すると、この加温管保持部材９４は、上述した実施形態と同様に、細長い矩形状の底壁１００と、底壁１００の両側部から上方に延びる一対の側壁１０２，１０４とを有し、底壁１００及び一対の側壁１０２，１０４は加温管１６を収容するための収容溝９６を規定し、この収容溝９６の半円形状の底面に接触するように、加温管１６は図１５に二点鎖線で示すように収容される。この加温管保持部材９４では、一方の側壁１０２の高さは、他方の側壁１０４よりも高く形成され、側壁１０２，１０４の上面は側壁１０２の外側に向かって上方に傾斜して高くなるように形成されている。
【００７２】
このような加温管保持部材９４も瓦９８と同じ粘土を用い、瓦９８と同様にして製作され、このように形成することによって、太陽からの熱によって温められ易く、また温められた熱が加温管１６に伝達され易くなる。このような加温管保持部材９４は、図１３及び図１４から理解されるように、全体が平らな平瓦を用いた屋根に組み込むときに好都合に適用することができる。
【００７３】
次に、図１３〜図１５を参照して、上述した蓄熱システムの施工方法について説明する。この施工方法では、まず、瓦９８を葺くための野地板１４を取り付け、この野地板１４上に所定間隔（瓦９８の縦方向に長さに対応する間隔）をおいて横桟６６を釘などを用いて取り付ける。その後、野地板１４上の下側の横桟６６から順に瓦９８を取り付ける。この瓦９８の取付けは、突部１０６の係合凹部１０８が横桟６６に係合するように、また横方向に隣接する瓦９８の側部が相互に重なるようにして行う。
【００７４】
次いで、取り付けた瓦９８の上側に加温管保持部材９４を配設し、その側壁１０２が瓦９８の上端面に当接するように取り付ける。かく取り付けると、加温管保持部材９４は屋根の傾斜方向に実質上垂直な横方向に並び、配設された加温管保持部材９４の収容溝９６が上記横方向に直線状に連通する。そして、かく取り付けた加温管保持部材９４の収容溝９６内に加温管１６を接触するように収容する。
【００７５】
その後、葺いた瓦９８の上側の横桟６６に瓦９８を取り付け、この上側の瓦９８の取付けも上述したと同様に行い、下側の瓦９８と上側の瓦９８とは、図１３に示すように千鳥状となるように取り付ける。このように瓦９８を取り付けると、上側の瓦９８の下端部は下側の瓦９８の上端部及び加温管保持部材９４を覆い、上側の瓦９８の下端部は加温管保持部材９４の側壁１０２，１０４の上面に載置接触する。そして、上述したと同様に、取り付けた瓦９８の上側に、この瓦９８の上端面に側壁１０２が当接接触するように加温管保持部材９４を配設し、かく配設した加温管保持部材９４の収容溝９６内に加温管１６を接触するように収容する。この際、加温管１６は、下側の加温管保持部材９４の収容溝９６に収容された部分から折り返すようにして上側の加温管保持部材９４の収容溝９６に収容され、この加温管１６の折り返しを許容するために、折り返し部位においては横桟６６は省略される。
【００７６】
このように施工されるので、瓦９８の上端部は上側の加温管保持部材９４の一方の側壁１０２に接触され、その下端部は下側に加温管保持部材９４の一対の側壁１０２，１０４に載置接触されるので、太陽によって温められた瓦９８の熱が加温管保持部材９４に効率良く伝達され、更にこの加温管保持部材９４及び加温管１６を介して循環媒体に伝達される。
【００７７】
〔加温管保持部材の第３の実施形態〕
次に、図１６を参照して、加温管保持部材の第３実施形態について説明する。図１６は、第３の実施形態の加温管保持部材を示す断面図である。
【００７８】
図１６において、この加温管保持部材１０８も、屋根の野地板とこの野地板上に葺かれる瓦１１８との間の空間に配設され、図８〜図１３に示す実施形態と同様に、野地板に取り付けられた横桟（図示せず）間に嵌合するように取り付けられる。この加温管保持部材１０８は、上述したと同様に、細長い矩形状の底壁１１０と、底壁１１０の両側部から上方に延びる一対の側壁１１２，１１４とを有し、底壁１１０及び一対の側壁１１２，１１４は加温管１６を収容するための収容溝１１６を規定し、この収容溝１１６の半円形状の底面に接触するように、加温管１６が二点鎖線で示すように収容される。一対の側壁１１２及び側壁１１４の上面は幅方向中央に向けて弧状に高くなるように形成され、これらの上面形状は、載置される瓦１１８の内面形状に対応している。この加温管保持部材１０８も粘土を用いて瓦の製法により形成される。
【００７９】
この加温管保持部材１０８を用いる場合には、横方向に隣接する一対の瓦１１８の一方（図１５において左側の瓦）の側端部が加温管保持部材１０８の一方の側壁１１２に載置接触され、それらの他方（図１５において右側の瓦）が加温管保持部材１０８の他方の側壁１１４に載置接触され、瓦９８の上端部は上側の加温管保持部材９４の一方の側壁１０２に接触される。そして、隣接する瓦１１８の近接する側端部を覆うように、断面半円形状の瓦１２０が載置される。従って、このような加温管保持部材１０８を用いた場合においても、温められた瓦１１８の熱が加温管保持部材１０８に効率良く伝達され、更にこの加温管保持部材１０８及び加温管１６を介して循環媒体に伝達される。
【００８０】
以上、本発明の蓄熱システム、この蓄熱システムに用いる加温管保持部材などの実施形態について説明したが、本発明はかかる実施形態に限定されるものではなく、本発明の範囲を逸脱することなく種々の変形乃至修正が可能である。
【図面の簡単な説明】
【００８１】
【図１】第１の実施形態の蓄熱システムの全体を簡略的に示すシステム図である。
【図２】図１の蓄熱システムの制御系を簡略的に示すブロック図である。
【図３】図２の制御系による制御を示すフローチャートである。
【図４】図４は、第２の実施形態の蓄熱システムの全体を簡略的に示すシステム図である。
【図５】図４の蓄熱システムの制御系を簡略的に示すブロック図である。
【図６】図５の制御系による制御の温水による蓄熱運転を示すフローチャートである。
【図７】図５の制御系による制御の融雪運転を示すフローチャートである。
【図８】蓄熱システムの施工例を説明するための平面図である。
【図９】図８におけるＩＸ−ＩＸ線による断面図である。
【図１０】加温管保持部材と瓦との位置関係を示す平面図である。
【図１１】図９の蓄熱システムにおける加温管保持部材を示す斜視図である。
【図１２】図１０の加温管保持部材のＸＩＩ−ＸＩＩ線による断面図である。
【図１３】他の実施形態の加温管保持部材を用いた蓄熱システムを簡略的に示す平面図である。
【図１４】図１３におけるＸＩＶ−ＸＩＶ線による断面図である。
【図１５】図１３の蓄熱システムにおける加温管保持部材を示す断面図である。
【図１６】第３の実施形態の加温管保持部材を示す断面図である。
【符号の説明】
【００８２】
２，２Ａ  蓄熱システム
４，４Ａ，４Ｂ  加温手段
６，６Ａ  循環媒体循環手段
１０  蓄熱水循環手段
１４  野地板
１６，１６Ａ，１６Ｂ  加温管
１８，９４，１０８  加温管保持部材
５４  熱源機
６６  横桟
６８，９６，１１６  収容溝
８０，９８，１１８  瓦
８８，９０  載置段部
【図１】
2006010265.tif 000003
【図２】
2006010265.tif 000004
【図３】
2006010265.tif 000005
【図４】
2006010265.tif 000006
【図５】
2006010265.tif 000007
【図６】
2006010265.tif 000008
【図７】
2006010265.tif 000009
【図８】
2006010265.tif 000010
【図９】
2006010265.tif 000011
【図１０】
2006010265.tif 000012
【図１１】
2006010265.tif 000013
【図１２】
2006010265.tif 000014
【図１３】
2006010265.tif 000015
【図１４】
2006010265.tif 000016
【図１５】
2006010265.tif 000017
【図１６】
2006010265.tif 000018